(57)【要約】【課題】無駄な電力の消費を抑制し、本体ケース内に吸い込んだ空気を効率よく殺菌する。【解決手段】本体ケース１内に吸い込んだ空気をフィルター体１３で浄化して本体ケース１外に吹き出す空気清浄機において、本体ケース１内に吸い込んだ空気に紫外線を照射する平面殺菌灯２８と、温度を検知する温度検知手段としての温度センサ６５と、湿度を検知する湿度検知手段としての湿度センサ６６と、温度センサ６５で検知された温度と湿度センサ６６で検知された湿度に基づいて平面殺菌灯２８の点灯と消灯を制御する制御手段とを具える。【効果】ウイルスやカビ等の発生しやすい状態でのみ殺菌灯を点灯でき、無駄な電力の消費を抑えて効率よく殺菌を行うことが可能となる。【選択図】　　　図７
2004033270.tif 000002
【特許請求の範囲】
【請求項１】
本体ケース内に吸い込んだ空気をフィルターで浄化して本体ケース外に吹き出す空気清浄機において、本体ケース内に吸い込んだ空気に紫外線を照射する殺菌灯と、温度を検知する温度検知手段と、湿度を検知する湿度検知手段と、前記温度検知手段で検知された温度と湿度検知手段で検知された湿度に基づいて前記殺菌灯を制御する制御手段とを具えたことを特徴とする空気清浄機。
【請求項２】
前記制御手段は、前記温度検知手段にて検知した温度が第１温度未満又は以下の場合で、且つ、前記湿度検知手段にて検知した湿度が第１湿度未満又は以下の場合に、前記殺菌灯を点灯することを特徴とする請求項１に記載の空気清浄機。
【請求項３】
注意を喚起する表示部を設け、前記制御手段は、前記温度検知手段にて検知した温度が第１温度未満又は以下の場合で、且つ、前記湿度検知手段にて検知した湿度が第１湿度未満又は以下の場合に、前記表示部を表示することを特徴とする請求項１又は請求項２に記載の空気清浄機。
【請求項４】
前記第１温度は１０℃で、前記第１湿度は３０％であることを特徴とする請求項２又は請求項３のいずれかに記載の空気清浄機。
【請求項５】
前記制御手段は、前記温度検知手段にて検知した温度が第２温度を超える又は以上の場合で、且つ、前記湿度検知手段にて検知した湿度が第２湿度を超える又は以上の場合に、前記殺菌灯を点灯することを特徴とする請求項１乃至請求項４のいずれかに記載の空気清浄機。
【請求項６】
注意を喚起する表示部を設け、前記制御手段は、前記温度検知手段にて検知した温度が第２温度を超える又は以上の場合で、且つ、前記湿度検知手段にて検知した湿度が第２湿度を超える又は以上の場合に、前記表示部を表示することを特徴とする請求項１乃至請求項５のいずれかに記載の空気清浄機。
【請求項７】
前記第２温度は２５℃で、前記第２湿度は５０％であることを特徴とする請求項５又は請求項６のいずれかに記載の空気清浄機。
【請求項８】
前記殺菌灯は一方から紫外線を照射し、他方から可視光を照射し、前記殺菌灯の他方からの可視光を前記表示部の光源としたことを特徴とする請求項３又は請求項６のいずれかに記載の空気清浄機。
【発明の詳細な説明】
【０００１】
【発明の属する技術分野】
本発明は、殺菌灯を有し、本体ケース内に吸い込んだ空気を浄化して本体ケース外に吹き出す空気清浄機に関する。
【０００２】
【従来の技術】
従来、この種の空気清浄機として特開平１０−２４９１６６号公報（Ｂ０１Ｄ５３／８６）に、送風機の駆動により本体ケースの正面側の吸気口から部屋の空気を吸い込むと共に本体ケースの側方に形成した吸気口から部屋の空気を吸い込み、側方の吸気口から吸い込んだ空気を殺菌灯を通過させ、この殺菌灯を通過した空気を本体ケースの正面側から吸気した空気と共に集塵フィルターと脱臭フィルターを通過させた後、排気口から本体ケース外に吹き出す空気清浄機が知られている。
【０００３】
この空気清浄機は、本体ケースに吸い込まれた空気中の塵埃を集塵フィルターにて除塵でき、前記空気中の臭気成分を脱臭フィルターで脱臭できる。更に、殺菌灯を点灯させた場合には、吸い込んだ空気中に含まれるウイルスやカビ等の雑菌の殺菌を行うことができる。
【０００４】
しかしながら、どのような時に殺菌灯が点灯されるかについて具体的に記載されておらず、また、空気清浄機の使用される部屋が、ウイルスが繁殖しやすい状態や、カビが発生しやすい状態や、タバコの煙等で埃や臭気成分が発生しやすい状態等の種種の状態となるため、部屋の空気中に雑菌が殆ど無い状態で殺菌灯が点灯されて無駄な電力が消費されたり、逆に雑菌が多いにもかかわらず点灯されないことが生じる恐れがあった。
【０００５】
【発明が解決しようとする課題】
本発明は、無駄な電力の消費を抑制でき、本体ケース内に吸い込んだ空気を効率よく殺菌できる空気清浄機を提供することを課題とする。
【０００６】
【課題を解決するための手段】
上記課題を解決するための手段は、本体ケース内に吸い込んだ空気をフィルター体で浄化して本体ケース外に吹き出す空気清浄機において、本体ケース内に吸い込んだ空気に紫外線を照射する殺菌灯と、温度を検知する温度検知手段と、湿度を検知する湿度検知手段と、前記温度検知手段で検知された温度と湿度検知手段で検知された湿度に基づいて前記殺菌灯を制御する制御手段とを具えたものである。
【０００７】
これにより、雑菌の多くなる状態、例えば、ウイルスが繁殖しやすい状態やカビ等の発生しやすい状態等の温度と湿度等を設定し、設定した温度と湿度の範囲の場合に点灯し、前記所定の温度と湿度の範囲以外の場合に、殺菌灯への通電を少なくしたり、又は平面殺菌灯への通電を遮断することができる。したがって、雑菌の多くなる状態以外で平面殺菌灯への通電を抑えることができ、無駄な電力の消費を抑えて効率よく殺菌を行うことが可能となる。
【０００８】
上記構成において、前記制御手段は、前記温度検知手段にて検知した温度が第１温度未満又は以下の場合で、且つ、前記湿度検知手段にて検知した湿度が第１湿度未満又は以下の場合に、前記殺菌灯を点灯するものである。
【０００９】
これにより、第１温度と第１湿度とをウイルス等の繁殖のしやすい上限の温度と上限の湿度に設定し、ウイルスの発生しやすい状態でのみ殺菌灯を点灯することができ、無駄な電力の消費を抑えて効率よく殺菌を行うことができる。
【００１０】
また、注意を喚起する表示部を設け、前記制御手段は、前記温度検知手段にて検知した温度が第１温度未満又は以下の場合で、且つ、前記湿度検知手段にて検知した湿度が第１湿度未満又は以下の場合に、前記表示部を表示する。
【００１１】
これにより、第１温度と第１湿度とを、例えば、ウイルス等の繁殖しやすい上限の温度と上限の湿度に設定し、ウイルス等の繁殖しやすい状態でのみ表示部を表示でき、この表示部にて使用者にウイルス等が繁殖しやすい状態であることを認識させることができる。
【００１２】
また、具体的には、前記第１温度は１０℃で、前記第１湿度は３０％である。
【００１３】
また、前記制御手段は、前記温度検知手段にて検知した温度が第２温度を超える又は以上の場合で、且つ、前記湿度検知手段にて検知した湿度が第２湿度を超える又は以上の場合に、前記殺菌灯を点灯する。
【００１４】
これにより、第２温度と第２湿度とを、例えば、カビ等の発生しやすくなる下限の温度と下限の湿度に設定し、カビ等の発生しやすい状態でのみ殺菌灯を点灯することができ、無駄な電力の消費を抑えて効率よく殺菌を行うことができる。
【００１５】
また、注意を喚起する表示部を設け、前記制御手段は、前記温度検知手段にて第２温度より高い温度を検知し、且つ、前記湿度検知手段にて第２湿度より高い湿度を検知した際に、前記表示部を表示する。
【００１６】
これにより、第２温度と第２湿度とを、例えば、カビ等の発生しやすい下限の温度と下限の湿度に設定し、カビ等の発生しやすい状態でのみ表示部を表示でき、この表示部にて使用者にカビ等が発生しやすい状態であることを認識させることができる。
【００１７】
詳述すれば、前記第２温度は２５℃で、前記第２湿度は５０％である。
【００１８】
また、前記殺菌灯は一方から紫外線を照射し、他方から可視光を照射するもので、前記殺菌灯の他方からの可視光を前記表示部の光源とするものである。
【００１９】
これにより、殺菌灯の点灯時に、その他方からの可視光にて表示部を明るく照らすことができ、殺菌灯が点灯していることを容易に確認することができる。
【００２０】
【発明の実施の形態】
本発明の実施の形態の空気清浄機を図１乃至図７に基づき説明する。尚、以降、前カバー４側を正面とし、後ケース３側を背面とする。
【００２１】
１は合成樹脂にて形成された空気清浄機の本体ケースで、前面側を開口する後ケース３と、この後ケース３に着脱自在に装着される前カバー４と、前カバー４の上方側に位置する上ケース５とから構成されている。
【００２２】
前カバー４には吸気口となる多数の孔６が形成されており、この孔６から本体ケース１内に空気が取り込まれる。また、前カバー４の下部には、後ケース３の前面側下部に形成された係止孔７に挿入される回動係止部８が形成され、前カバー４の左右両側には押しボタン９の操作により後述する仕切板１１に着脱自在に係止される係止爪（図示せず）が形成されている。
【００２３】
後ケース３の上面には格子状の第１排気口２とこの第１排気口の前方側に位置する第２排気口２６とが形成され、背面側に渦巻き状のファンケーシング１０が一体に形成されており、このファンケーシング１０内は第１排気口２を介して本体ケース１外と連通されている。
【００２４】
１１は本体ケース１内を前後に区画する仕切板で、仕切板１１の前カバー４側には前カバー４側を開口する凹状の収納部１２が形成され、この収納部１２の近傍には孔６から吸い込まれた空気中の粉塵の量を検知する後述する粉塵センサ６３が設けられている。
【００２５】
１３は収納部１２に着脱自在に装着されるフィルター体で、プレフィルター１４と、このプレフィルター１４の下流側に位置する集塵フィルター１５と、この集塵フィルター１５の下流側に位置する脱臭フィルター１６とから構成されている。
【００２６】
プレフィルター１４は格子状の合成樹脂製枠体１４ａとこの枠体１４ａ上に保持される不織布からなるフィルター素材（図示せず）とからなる。このプレフィルター１４の枠体１４ａの上部と下部には突部が形成されている。プレフィルター１４は、その上部を後述する液晶表示部５１の裏側とプレフィルター１４の下流側に設けられる集塵フィルター１５との間の挿入され、下部の突部１８を仕切板１１の下部に形成された係止穴１７に係止して取り付けられる。
【００２７】
集塵フィルター１５は、エレクトレット化されたポリプロピレン不織布を襞折り状に加工してその周囲を紙製枠体に固着して形成されている。
【００２８】
脱臭フィルター１６には活性炭などが内蔵されており、空気中の臭気成分を除去する。
【００２９】
１９は仕切板１１の後ケース３側に位置する第１排気通路で、仕切板１１と前記ファンケーシング１０とで形成される。この第１排気通路１９は第１排気口２を介して本体ケース１外と連通すると共に仕切板１１に形成した穴２０にて仕切板１１の前カバー４側の空間と連通する。
【００３０】
この第１排気通路１９内には、仕切板１１に取り付けられたモータ２１と、このモータ２１により駆動されるファン２２とで構成された送風機２３が配設されている。
【００３１】
２４は第２排気通路で、第１排気通路１９から分岐して形成されている。この第２排気通路２４は、第１排気通路２４と分岐点としての孔２５にて連通すると共に、第２排気口２６にて本体ケース１外に連通する。前記孔２５の上縁には後ケース３の背面側に延設する案内壁２７が形成されており、第１排気口２へ向かう空気の一部が第２排気通路２４に向かうようにしている。
【００３２】
２８は平面状に形成された平面殺菌灯で、一面２８ａからは殺菌効果が最大となる２５３．７ｎｍの波長の紫外線を、他面２８ｂから４５２ｎｍの波長の可視光を照射できるように以下に示すように構成されている。
【００３３】
図４に示すように、一面２８ａが紫外線を通過するＵＶ透過ガラス（バリュームソーダーガラス）２８ｃで形成され、他面２８ｂが紫外線は透過せずに可視光を透過し内面側に蛍光体２８ｄが塗布された通常のソーダーガラス２８ｅで形成されている。内部には水銀蒸気とアルゴンガスが封入され、両側に放電電極２８ｆ、２８ｇが配置されている。この放電電極２８ｆ、２８ｇ間に約１ｋＶの電圧を加えるとグロー放電が生じ、放電電極２８ｆ、２８ｇ間を流れる電子２８ｈがアルゴン原子２８ｉや水銀原子２８ｊと衝突する。水銀原子２８ｊと衝突することにより発生した紫外線２８ｋは、一面２８ａのＵＶ透過ガラス２８ｃを透過し、他面２８ｂのソーダーガラス２８ｅ側では蛍光体２８ｄに当たって可視光２８ｍを発生させる。即ち、平面殺菌灯２８は、ＵＶ透過ガラス２８ｃ側が紫外線発光面（一面）となり、ソーダーガラス２８ｅ側が可視光発光面（他面）となっている。
【００３４】
この平面殺菌灯２８は、両端に開口が形成された保持部２９に、その一方の開口に他面２８ｂが臨む状態で保持される。この保持部２９はその他方の開口周縁を後述する液晶表示部５１の液晶表示板５６の周縁近傍に当接する状態で上ケース５に取り付けらており、平面殺菌灯２８の一面２８ａが第２排気通路２４内に臨む状態となると共に、他面２８ｂが液晶表示板５６に対向するようになる。
【００３５】
平面殺菌灯２８の一面２８ａ側は、空間を有する状態で金属製のカバー３０にて覆われ、紫外線が直接本体ケース１に照射されるのを防止し、本体ケース１の劣化を防止している。このカバー３０には鎧戸状の通気穴３１が形成されており、内部に第２排気通路２４内の空気が通過できるようにしている。
【００３６】
３２は上ケース５に形成された操作部で、運転モードを切り替えるモード選択スイッチ３３と、運転停止を行うための停止スイッチ３４と、平面殺菌灯２８を点灯消灯するための点灯スイッチ３５と、後述する液晶表示部５１とが設けられている。また、操作部３２の内部には後述するガスセンサ６４が取り付けられている。
【００３７】
モード切り換えスイッチ３３は、押す毎に、自動モード、微弱モード、弱モード、中モード、強モード、特強モードと切り換えられるようになっている。この際、ＬＥＤ３７、３８、３９、４０、４１、４２の点灯にて、どのモードに切り替わったかを使用者が認識できるようになっている。
【００３８】
自動モードでは粉塵センサ６３とガスセンサ６４で検知された出力に基づいて送風機２３による風量が自動的に変更され、後述する図７のフローチャートに示すように温度センサ６５と湿度センサ６６の出力に基づいて平面殺菌灯２８の点灯と消灯が制御される。
【００３９】
微弱運転モード、弱モード、中モード、強モード及び特強モードでは、粉塵センサ６３とガスセンサ６４からの出力に関係なく、微弱運転モード、弱モード、中モード、強モード、特強モードの順に風量が多くなるようにそれぞれ風量が設定されて運転される。更に、点灯スイッチ３５の操作が有効となり、使用者の操作に応じて平面殺菌灯２８の点灯と消灯が切り換えられる。
【００４０】
５１は上カバーの正面側に設けられた液晶表示部で、上ケース５の一部を楕円形に手前側へ膨出５２させ、その膨出部５２の裏側を裏カバー５３で塞いで外形が構成されている。膨出部５２の略中央には円形の覗き窓５４が形成されており、この覗き窓５４に透明レンズ５５が装着されている。この透明レンズ５５の裏面側には間隔を有する状態で液晶表示板５６が配設され、円錐状の遮蔽板５７が液晶表示板５６と透明レンズ５５の周縁とに当接する状態で上ケース５に取り付けられている。
【００４１】
液晶表示板５６には、空気の汚れ度合いを示すものとして、ガスセンサ６４で検出したガス濃度の高低を表すパターン５８と、粉塵センサ６３で検出した粉塵の量の多少を表すパターン５９とが左右に分かれて配置され、夫々「におい」と「ほこり」として表されている。各パターン５８、５９は同心状の多重の１／４円弧からなっており、図示しないマイコンからの指令にて夫々ガス濃度が高くなるほど、また粉塵の量が多くなるほど外側のエリアまで点灯するように構成されている。また、液晶表示部５１の液晶表示板５６には、ウイルスが繁殖しやすい状態にあることを示すのパターン６０（ここでは「ウイルス」の表示）と、カビが発生しやすい状態にあることを示すパターン６１（ここでは「カビ」の表示）とが設けられている。
【００４２】
図６は電気回路ブロック図を示し、６２はマイコンよりなる制御部で、この制御部６２に、粉塵センサ６３、ガスセンサ６４、温度センサ６５及び湿度センサ６６からの出力信号が入力され、また、モード選択スイッチ３３と停止スイッチ３４からの信号が入力される。制御部６２はこれらの信号に基づき、モータ駆動回路６７や液晶駆動回路６８や殺菌灯駆動回路６９へ信号を送り、モータ駆動回路６７によって、モータ２１を低速、中速、高速回転させたり停止させる。また液晶駆動回路６７によって、液晶表示板５６を状況に応じて各パターンに点灯させる。更に、殺菌灯駆動回路６９によって、平面面殺菌灯２８を点灯消灯させる。
【００４３】
次に動作について説明する。
【００４４】
モード選択スイッチ３３が押されて自動モードが選択されると、ファン２２が駆動され、吸気口として多数の孔６から本体ケース１内に部屋の空気が吸い込まれ、吸い込まれた空気中の粗塵がプレフィルター１４で除去され、プレフィルター１４を通過した粉塵が集塵フィルター１５にて除去される。更に、脱臭フィルター１６にて臭気成分が除去される。
【００４５】
そして、粉塵と臭気成分が除去された空気が穴２０から第１排気通路１９内に流入し、第１排気口２へ向けてファンケーシング１０にて案内される。そして、図３の２点鎖線の矢印に示すように、主として第１排気口２から部屋に放出されると共に、一部の空気が第２排気通路２４内に流入する。
【００４６】
第２排気通路２４内に流入した空気は、カバー３０の下方側の通気穴３１からカバー３０内に入り、平面殺菌灯２８の一面２８ａに沿うようにして上方側の通気穴３１へ向かって流れ、カバー３０の上方の通気穴３１から第２排気口２６を介して本体ケース１外に吹き出される。
【００４７】
この運転中、本体ケース１内に吸い込まれた空気中の粉塵の量が粉塵センサ６３で検知され、ガス濃度がガスセンサで６４検知される。この検知された粉塵の量が多くなるに従い、また、ガス濃度が高くなるに従い、モータ駆動回路６８によってモータ２１が低速から中速、高速に回転され、風量が多くなるように変更される。更に、液晶表示部５１において、液晶駆動回路６７によって粉塵の量が多くなるに従いパターン５９が外側のエリアまで点灯し、ガス濃度が高くなるに従いパターン５８が外側のエリアまで点灯する。
【００４８】
また、本体ケース１内に吸い込まれた空気の温度が温度センサ６５で検知され、湿度が湿度センサ６６にて検知される。そして、この検知された温度と湿度に基づいて以下に述べる図７のフローチャートに示すように制御部６２にて平面殺菌灯２８の点灯消灯が制御される。
【００４９】
ステップＳ１において、温度センサ６５と湿度センサ６６にて、本体ケース１内に吸い込まれた空気の温度と湿度が検知され、ステップＳ２に移行する。
【００５０】
ステップＳ２において、検知された温度が第１温度（ここでは１０℃）未満で、且つ、湿度が第１湿度（ここでは３０％）未満であるかどうかが判断され、検知された温度が１０℃未満で、且つ、湿度が３０％未満である時には、ウイルスが繁殖しやすい状態であると判断して、ステップＳ３に移行する。
【００５１】
ステップＳ３において、液晶表示部５１において液晶駆動回路６７により「ウイルス」注意を喚起するパターン６０を点灯し、使用者にウイルスの発生しやすい状態であることを認識させ、ステップＳ４に移行し、ステップＳ４において、平面殺菌灯２８を点灯する。
【００５２】
これにより、第２排気通路２４内を通過する空気が殺菌されるようになり、殺菌された空気が第２排気口２６から本体ケース１外に排気される。
【００５３】
これと同時に、平面殺菌灯２８の他面２８ｂからは液晶表示部５１の液晶表示板５６に可視光が照射され、液晶表示板５６の表示が明るく表示される。これにより、液晶表示部５１の表示をより確実に認識できると共に、平面殺菌灯２８が点灯していることを確認することができる。
【００５４】
また、ステップＳ２において、検知された温度が第１温度（ここでは１０℃）未満で、且つ、湿度が第１湿度（ここでは３０％）未満でない場合には、ウイルスは繁殖し難いと判断し、ステップＳ５に移行する。
【００５５】
ステップＳ５において、検知された温度が第１温度を超える第２温度（ここでは２５℃）を超える場合で、且つ、湿度が第１湿度を超える第２湿度（ここでは５０％）を超える場合であるかどうかが判断され、第２温度（ここでは２５℃）を超え、且つ、高い第２湿度（ここでは５０％）を超える場合にはカビが発生しやすい状態であると判断してステップＳ６に移行する。
【００５６】
ステップＳ６において、液晶表示部５１において液晶駆動回路６７により「カビ」注意を喚起するパターン６１を点灯し、使用者にカビの発生しやすい状態であることを認識させ、ステップＳ４に移行し、平面殺菌灯２８を点灯する。
【００５７】
ステップＳ５において、第２温度以下で、且つ、高い第２湿度以下の場合には、カビが発生し難いと判断し、ステップＳ７において平面殺菌灯２８を消灯し、ステップＳ１に戻る。
【００５８】
上述の如く、自動モード時において、検知した温度と湿度からウイルスの繁殖しやすい状態とカビの発生しやすい状態を判断し、ウイルスやカビが発生しやすいと判断したときのみ平面殺菌灯２８を点灯させるようにしたことで、これらの発生する可能性の低い時に平面殺菌灯２８が点灯されて無駄な電力が消費されるのを防止できる。そして、平面殺菌灯２８を点灯することでと、第２排気通路２４内を通過する空気が殺菌されるようになり、殺菌された空気を第２排気口２６から本体ケース１外に排気できる。
【００５９】
この際に、平面殺菌灯２８の他面２８ｂからは液晶表示部５１の液晶表示板５６に可視光が照射され、液晶表示板５６の表示が明るく表示される。これにより、液晶表示部５１の表示をより確実に認識できると共に、平面殺菌灯２８が点灯していることを確認することができる。
【００６０】
尚、上記実施の形態において、制御部にて温度センサ６５と湿度センサ６６の出力に基づいて雑菌の多くなると思われる所定の条件、即ち、検知された温度が第１温度未満で、且つ、検知された湿度が第１湿度未満の場合、又は、検知された温度が第２温度より高く、且つ、検知された湿度が第２湿度より高い場合に平面殺菌灯を点灯し、所定の条件以外の場合に平面殺菌灯２８への通電を遮断して消灯するようにしたが、遮断する代わりに、前記所定の条件以外の場合に平面殺菌灯２８へ供給される電力を、例えば、所定時間あたりの電流値を小さくする等して、前記所定の条件の場合に比べて少なくなるように制御してもよい。
【００６１】
また、第１温度と第１湿度の一例として１０℃、３０％を示したが、これに限定されるものではなく、ウイルスが繁殖しやすくなると思われる値を設定すればよい。
【００６２】
同様に、第２温度と第２湿度の一例として２５℃、５０％を示したが、これに限定されるものではなく、カビが発生しやすくなると思われる値を設定すればよい。
【００６３】
また、温度センサ６５で検知された温度が第１温度未満の場合で、且つ、湿度センサ６６で検知された湿度が第１湿度未満の場合に、平面殺菌灯２８を点灯し、液晶表示部５１のパターン６０を点灯するようにしたが、温度センサ６５で検知された温度が第１温度以下の場合で、且つ、湿度センサ６６で検知された湿度が第２湿度以下の場合に、平面殺菌灯２８を点灯し、パターン６０を点灯するようにしても良い。
【００６４】
また、温度センサ６５で検知された温度が第２温度を超える場合で、且つ、湿度センサ６６で検知された湿度が第２湿度を超える場合に、平面殺菌灯２８を点灯し、液晶表示部５１のパターン６１を点灯するようにしたが、温度センサ６５で検知された温度が第１温度以上の場合で、且つ、湿度センサ６６で検知された湿度が第２湿度以上の場合に、平面殺菌灯２８を点灯し、パターン６１を点灯するようにしても良い。
【００６５】
また、自動モード時に、検知された温度と湿度に基づいて、ウイルスの繁殖やカビの発生しやすい状態を判断し、平面殺菌灯２８の点灯消灯を制御すると共に、ウイルス注意を喚起するパターン６０及びカビ注意を喚起するパターン６１の点灯消灯を制御するようにしたが、自動モード時以外においても、ウイルス注意を喚起するパターン６０及びカビ注意を喚起するパターン６１の点灯消灯を制御するようにしてもよい。
【００６６】
この場合、ウイルスの繁殖やカビが発生しやすい状態で、パターン６０やパターン６１を表示することができ、ウイルスの繁殖やカビが発生しやすい状態であることを使用者に認識させることができ、ウイルスやカビが発生しやすい状態での平面殺菌灯２８の点灯を促すことができる。
【００６７】
また、フィルター体１３で浄化した空気が主として通過する第１排気通路１９と、一部が連通する第２排気通路２４とを設け、この第２排気通路２４に平面殺菌灯２８を設けたが、平面殺菌灯２８の一面２８ａからの紫外線を本体ケース１内に吸い込んだ空気に照射し、且つ、他面２８ｂからの可視光を液晶表示部５１のバックライトとして利用できる構成であればよく、第２排気通路を設けずに、第１排気通路のみとし、この第１排気通路に平面殺菌灯を設けても良い。
【００６８】
また、本体ケース１内に吸い込んだ空気を浄化するフィルターとして、プレフィルター１４と集塵フィルター１５と脱臭フィルター１６からなるフィルター体１３を示したが、これに限定されるものではなく、例えば、プレフィルター１４のみ、集塵フィルター１５のみ、又は、脱臭フィルター１６のみの場合でも、これらを組み合わせたものでも良い。
【００６９】
【発明の効果】
本発明によれば、制御手段にて温度検知手段で検知された温度と湿度検知手段で検知された湿度に基づいて前記殺菌灯を制御することで、雑菌の多くなる温度と湿度の範囲を設定し、検知された温度と湿度が前記設定した範囲の場合に殺菌灯を点灯し、前記設定した範囲以外の場合に、平面殺菌灯への通電を遮断して消灯したり、殺菌灯へ供給する電力を抑制したりすることが可能となり、無駄な電力の消費を抑えて効率よく殺菌を行うことが可能となる。
【００７０】
また、温度検知手段にて検知された温度が第１温度未満又は以下で、且つ、湿度検知手段にて検知された湿度が第１湿度未満又は以下の場合に、殺菌灯を点灯するようにしたことで、第１温度と第１湿度とを、例えば、ウイルス等の繁殖しやすい上限の温度と上限の湿度に設定し、ウイルス等の繁殖しやすい状態でのみ殺菌灯を点灯することができ、無駄な電力の消費を抑えて効率よく殺菌を行うことができる。
【００７１】
また、温度検知手段にて検知した温度が第１温度未満又は以下の場合で、且つ、前記湿度検知手段にて検知した湿度が第１湿度未満又は以下の場合に、注意を喚起する表示部を表示することで、第１温度と第１湿度とをウイルス等の繁殖しやすい上限の温度と上限の湿度として設定し、ウイルス等が繁殖しやすい状態でのみ表示部を表示でき、この表示部にて使用者にウイルスが繁殖しやすい状態であることを認識させることができる。
【００７２】
また、温度検知手段にて検知された温度が第２温度を超える又は以上の場合で、且つ、湿度検知手段にて検知された湿度が第２湿度を超える又は以上の場合に、殺菌灯を点灯するようにすることで、例えば、第２温度と第２湿度とをカビ等の発生しやすい下限の温度と下限の湿度に設定して、カビ等の発生しやすい状態でのみ殺菌灯を点灯することができ、無駄な電力の消費を抑えて効率よく殺菌を行うことができる。
【００７３】
そして、温度検知手段にて検知された温度が第２温度を超える又は以上の場合で、且つ、湿度検知手段にて検知された湿度が第２湿度を超える又は以上の場合に、注意を喚起する表示部を表示するようにすることで、例えば、第２温度と第２湿度とをカビ等の発生しやすくなる下限の温度と下限の湿度に設定し、カビ等が発生しやすい状態でのみ表示部を表示でき、この表示部にて使用者にカビ等が発生しやすい状態であることを認識させることができる。
【００７４】
また、殺菌灯として、一方から紫外線を照射し、他方から可視光を照射するものとし、殺菌灯の他方からの可視光を前記表示部の光源とすることで、殺菌灯を点灯時に、その他面からの可視光にて表示部を明るく照らすことができる。
【図面の簡単な説明】
【図１】本発明の実施の形態を示す空気清浄機の正面図である。
【図２】同空気清浄機の側面縦断面図である。
【図３】図２における要部拡大図である。
【図４】図１における液晶表示部近傍の要部拡大図である。
【図５】同空気清浄機の平面殺菌灯の側面縦断面図である。
【図６】同空気清浄機のブロック回路図である。
【図７】同空気清浄機の平面殺菌灯を点灯消灯させる場合のフローチャートである。
【符号の説明】
１　　　　本体ケース
１３　　　　フィルター体
２８　　　　平面殺菌灯
２８ａ　　　平面殺菌灯の一面
２８ｂ　　　平面殺菌灯の他面
５１　　　　液晶表示部
５６　　　　液晶表示板
６０　　　　パターン（ウイルス用表示部）
６１　　　　パターン（カビ用表示部）
６２　　　　制御部（制御手段）
６５　　　　温度センサ（温度検知手段）
６６　　　　湿度センサ（湿度検知手段）
【図１】
2004033270.tif 000003
【図２】
2004033270.tif 000004
【図３】
2004033270.tif 000005
【図４】
2004033270.tif 000006
【図５】
2004033270.tif 000007
【図６】
2004033270.tif 000008
【図７】
2004033270.tif 000009